(57)【要約】【課題】  捕獲対象を逃がすことなく確実に捕獲しうる捕獲器を提供すること。【解決手段】本発明の捕獲器は、伸長軸に沿って伸長する把持棒と、把持棒の先端に設けられ、開状態及び閉状態へ可動しうる捕獲部とからなる。前記捕獲部は、伸長軸上の可動アーム接続部で互いに相対角度が開状態及び閉状態の相互に可動しうるようにヒンジ接続された一対の可動アームと、前記可動アームが開状態のとき、可動アームの内部にて一対それぞれの可動アーム間を亘ってなる、折曲又は収縮可能な内部アームとを具備してなる。そして、可動アームが開状態のとき、内部アームに曲げ方向の外力がかかったとき、内部アームが折曲動作又は収縮動作して、可動アームを閉状態へ移行させることを特徴とする。【選択図】  図１
2007263413.tif 000002
【特許請求の範囲】
【請求項１】
伸長軸に沿って伸長する把持棒と、把持棒の先端に設けられ、開状態及び閉状態へ可動しうる捕獲部とからなる捕獲器であって、前記捕獲部は、互いに相対角度が開状態及び閉状態の相互に可動しうるようにヒンジ接続された左右一対の可動アームと、前記可動アームが開状態のとき、可動アームの内部にて一対それぞれの可動アーム間を亘ってなる、折曲又は収縮可能な内部アームとを具備してなり、可動アームが開状態のとき、内部アームに曲げ方向の外力がかかったとき、内部アームが折曲動作又は収縮動作して、可動アームを閉状態へ移行させることを特徴とする捕獲器。
【請求項２】
一対それぞれの可動アームの少なくとも一部が、互いに向かい合う内側へ折曲又は弯曲した曲がり形状からなると共に、一対それぞれの内部アームの少なくとも一部が、互いに向かい合う内側へ折曲又は弯曲した曲がり形状からなり、閉状態で、それぞれの可動アーム及びそれぞれの内部アームの前記曲がり形状の部分同士が少なくとも一部で重なり合って、一部または全部で重なり合う一又は二の閉曲線を形成することを特徴とする請求項１記載の捕獲器。
【請求項３】
一対それぞれの内部アームの少なくとも一部が、可動アームの曲がり形状と同じ曲がり形状からなり、閉状態で、それぞれの可動アームとそれぞれの内部アームの前記同一の曲がり形状の部分同士が重なり合って、完全に重なり合う一の閉曲線を形成することを特徴とする請求項１または２記載の捕獲器。
【発明の詳細な説明】
【技術分野】
【０００１】
この発明は、捕獲対象物を捕獲する捕獲器に関する。特に、防犯用として使用され、主に人を捕獲対象とした捕獲器に関する。
【背景技術】
【０００２】
従来、捕獲器として、棒状の把持部と、その先端で二股に曲がった押さえ腕部とからなる、刺又（さすまた）型の捕獲器が存在した（例えば、特許文献１参照）。
【０００３】
また、可動式アームを備えた捕捉器具が存在した（例えば、特許文献２参照）。
【０００４】
【特許文献１】特開２０００−０１８８９０号公報
【特許文献２】特開２００５−１６４１１２号公報
【発明の開示】
【発明が解決しようとする課題】
【０００５】
しかしながら、前記前段記載の猿股式捕獲器は、捕獲対象を壁や床等に押さえつけて動きを抑制しうるものの、押さえ腕部は先端側へ広がってなるため、捕獲対象を、押さえ腕で押さえた先側へと逃がすおそれがあり、確実に捕獲できるものではなかった。
【０００６】
これに対して、前記後段記載のように、猿股式捕獲器の押さえ腕部を可動式にして、押さえた先側の方向を囲う形式にすることが考えられる。
【０００７】
しかし捕獲器の作動スイッチを手元で行うことによって、捕獲のタイミングが遅れてしまうため、単なる可動式の猿股式捕獲器では、確実に捕獲しえない。
【０００８】
そこで本発明は、捕獲対象を逃がすことなく確実に捕獲しうる捕獲器を提供することを課題とする。
【課題を解決するための手段】
【０００９】
上記課題を解決するために、下記（１）ないし（３）の手段を採用するものとしている。
【００１０】
（１）本発明の捕獲器は、少なくとも先部が伸長軸Ｌに沿って伸長する把持棒１と、把持棒１の先端に設けられ、開状態Ｓ１及び閉状態Ｓ２へ可動しうる捕獲部とからなる捕獲器であって、前記捕獲部は、伸長軸Ｌ上の可動アーム接続部２１で互いに相対角度が開状態Ｓ１及び閉状態Ｓ２の相互に可動しうるようにヒンジ接続された（左右）一対の可動アーム２と、前記可動アーム２が開状態Ｓ１のとき、可動アーム２の内部にて一対それぞれの可動アーム２間を亘ってなる、折曲又は収縮可能な内部アーム３とを具備してなり、可動アーム２が開状態Ｓ１のとき、内部アーム３に曲げ方向の外力がかかったとき、内部アーム３が折曲動作又は収縮動作して、可動アーム２を閉状態Ｓ２へ移行させることを特徴とする。
【００１１】
このようなものであれば、可動アーム２を開状態Ｓ１としたまま、可動アーム２の内部にある内部アーム３に捕獲対象物を接触させるだけで、可動アーム２が自動的に閉じて閉状態Ｓ２となる。可動アーム２内の内部アーム３が閉状態Ｓ２へのスイッチング機能を果たすことにより、捕獲対象物を可動アーム２内部に迅速に捕獲することが出来る。
【００１２】
（２）前記捕獲器は、一対それぞれの可動アーム２の先端付近の少なくとも一部が、互いに向かい合う内（軸方向）側へ折曲又は弯曲した曲がり形状からなると共に、一対それぞれの内部アーム３の内部を亘った両端付近の少なくとも一部が、互いに向かい合う内（軸方向）側へ折曲又は弯曲した曲がり形状からな互いに向かい合う内（軸方向）側へ折曲又は弯曲した曲がり形状からなり、閉状態Ｓ２で、それぞれの可動アーム２及びそれぞれの内部アーム３の前記曲がり形状の部分同士が少なくとも一部で重なり合って、一部または全部で重なり合う一又は二の閉曲線を形成することが好ましい。
【００１３】
このようなものであれば、閉状態Ｓ２で可動アーム２と内部アーム３それぞれの曲がり形状の部分が重なり合うため、捕獲した捕獲対象を、閉曲線内に強固に拘束することが出来る。重なり合ってなる二重の閉曲線は強固であるため、容易に破られない確実な捕獲が可能となる。
【００１４】
（３）前記いずれかの捕獲器は、一対それぞれの内部アーム３の（内部を亘った両端付近の）少なくとも一部（内部アーム３接続部付近を除く両端までの部分）が、可動アーム２の曲がり形状と同じ曲がり形状からなり、閉状態Ｓ２で、それぞれの可動アーム２とそれぞれの内部アーム３の前記同一の曲がり形状の部分同士が重なり合って、完全に重なり合う一の閉曲線を形成することが好ましい。
【００１５】
ここで、完全に重なり合う一の閉曲線とは、内部アーム３接続部を除く閉曲線の先端側部分において、内部アーム３と可動アーム２とで隙間が生じることなく重なり合って形成された、一の重閉曲線をいう。このようなものであれば、閉状態Ｓ２において、閉曲線で囲われる面積を比較的大きなものとして確保しうる。これにより、捕獲対象を傷つけることなく安全に捕獲しうる。
【発明の効果】
【００１６】
上記手段によって、捕獲対象を逃がすことなく確実に捕獲しうる捕獲器を提供することができる。
【発明を実施するための最良の形態】
【００１７】
以下、この発明の構成を、実施例として示す具体例と共に詳細に説明する。図１ないし図１１は、実施例１の捕獲器であり、図１２及び図１３は実施例２の捕獲器である。図１４及び図１５は実施例３の捕獲器であり、図１７はこれを用いて捕獲した使用状態例である。そして図１６は、実施例４の捕獲器である。
【００１８】
（本発明の捕獲器）
本発明の捕獲器は、少なくとも先部が伸長軸Ｌに沿って伸長する把持棒１と、把持棒１の先端に設けられ、開状態Ｓ１及び閉状態Ｓ２へ可動しうる捕獲部とからなる。前記捕獲部は、把持棒１の伸長軸Ｌ上のアーム接続部で、互いに相対角度が可動しうるように（すなわち、伸長軸Ｌ先端方向の挟角が可変しうるように）ヒンジ接続された一対または複数対の可動アーム２と、可動アーム２が閉状態Ｓ２となるように付勢する付勢手段とを具備する。
【００１９】
捕獲部は、把持棒１の伸長軸Ｌ上の可動アーム接続部２１で、互いに相対角度が可動しうるように（すなわち、伸長軸Ｌ先端方向の挟角が可変しうるように）接続された一対または複数対の可動アーム２と、把持棒１の先端に設けられ、可動アーム接続部２１を囲んで枠内部に収納しうる囲い枠２と、
可動アーム接続部２１を、囲い枠２の内部に収納した収納位置、及び、囲い枠２より先端側へ突出させた突出位置の相互の位置へ変位可能にする接続部変位手段１２と、可動アーム接続部２１を伸長軸Ｌの基端方向へ弾性付勢して可動アーム２が閉状態Ｓ２となるように付勢する軸方向付勢手段１３とを具備する。
【００２０】
（把持棒１）
把持棒１は、その先端に、可動アーム接続部２１を囲んで枠内部に収納しうる囲い枠２を具備すると共に、接続部変位手段１２を具備する。把持棒１は伸長軸Ｌに沿って伸びる棒状のものであれば、円形のほか、扁平板状等の矩形をはじめとする多角形、筒状形など、任意の断面形状でよい。
【００２１】
把持棒１は、伸長軸Ｌ方向中央付近の接続部変位手段１２を覆うカバーに第一の把持部１４が周設され、基端寄りに第二の把持部１５が周設される。第一の把持部１４、第二の把持部１５には、弾性部材等からなる滑り止め被覆が施される。
【００２２】
さらに、第二の把持部１５の少なくとも後端、好ましくは前端及び後端には、把持部を持つ手の手掛り部１６を設けてなる。これは、捕獲の際に、把持棒１の伸長軸Ｌ方向の力に対して、第二の把持部１５を持つ手が容易に外れないようにするものである。
【００２３】
実施例１の手掛り部１６として、把持棒１の基端に、第二の把持部１５よりも大径の円板が固設され、第二の把持部１５と共通の滑り止め被覆が施される。
【００２４】
実施例２の手掛り部１６として、把持棒１の基端に、伸長軸Ｌに対して交わる一側方へ突出した側方突出板が固設され、さらにこの側方突出板の先端から伸長軸Ｌ方向先端側に、係り止め用の山型の突出部が一体的に形成される。この手掛り部１６は、第二の把持部１５と共に、把持棒１の基端部で略コ字状となる。
【００２５】
実施例３の手掛り部１６として、把持棒１の基端付近であって、第二の把持部１５の先端側及び基端側にそれぞれ隣接するように、ブロック状の側方突出部が、把持棒１の一側方かつ同一方向を向いて固設される。
【００２６】
（囲い枠２）
囲い枠２は、把持棒１の先端に設けられ、アーム接続部を囲んで枠内部に収納しうる。
【００２７】
（可動アーム２）
可動アーム２は、左右一対または複数対の湾曲棒からなり、把持棒１の伸長軸Ｌ上のアーム接続部でヒンジ接続され、このアーム接続部にて互いに相対角度が可動しうるように、すなわち、伸長軸Ｌ先端方向の挟角が可変しうるようになる。
【００２８】
実施例１の可動アーム２は、湾曲する一対からなり、閉じた状態で真円形を形成したのち、基端部で内側に短距離だけ湾曲して、基端のアーム接続部にてその一対が接続される。
【００２９】
実施例２の可動アーム２は、湾曲する一対からなり、閉じた状態で、伸長軸Ｌ先端側から基端側に向って形成された逆山型を形成する。この逆山形は、先端側が伸長軸Ｌと垂直な直線部を有すると共に、前記直線部から外側に大きく緩やかに湾曲したのち、基端部で内側に短距離だけ湾曲して、基端のアーム接続部にて一対が接続される。
【００３０】
実施例３の可動アーム２は、湾曲する一対からなり、閉じた状態で、伸長軸Ｌと垂直に交わる軸を長軸とする横長の長円を形成したのち、基端部で内側に短距離だけ湾曲して、基端のアーム接続部にて一対が接続される。
【００３１】
実施例４の可動アーム２は、閉じた状態で、伸長軸Ｌと垂直に交わる軸を長軸とする横長の楕円を形成したのち、基端部で内側に短距離だけ湾曲して、基端のアーム接続部にて一対が接続される。
【００３２】
可動アーム２の先端は、捕獲対象を傷つけないよう、弾性体からなる保護カバー２３で被覆される。
【００３３】
（接続部変位手段１２）
接続部変位手段１２は、可動アーム接続部２１を、囲い枠２の内部に収納した収納位置、及び、囲い枠２より先端側へ突出させた突出位置の相互の位置へ変位可能とした機構である。この機構は、囲い枠２と可動アーム接続部２１との伸長軸Ｌ方向相対位置を変位させることでなり、囲い枠２を伸長軸Ｌに沿って変位させることによっても良いし、可動アーム接続部２１を伸長軸Ｌに沿って変位させる事によっても良い。
【００３４】
実施例では、可動アーム２が、伸長軸Ｌ上の把持棒１の先端のヒンジ穴へ、可動アーム２にてヒンジ接続されると共に、この周囲を囲う囲い枠２が、伸長軸Ｌ方向前後に変位可能に形成される。囲い枠２は、把持棒１の基端側から伸びる基端棒部分を覆う筒体であり、筒体の内部には、軸方向変位に応じて軸方向力を与える軸方向付勢手段１３たる、筒状の弾性部材（実施例ではコイルばね）を備える（図５、１０、１１）。
【００３５】
（軸方向付勢手段１３）
軸方向付勢手段１３は、接続部変位手段１２を、アーム接続部を伸長軸Ｌの基端方向へ弾性付勢するか、或いは囲い枠２を伸長軸Ｌの先端方向へ弾性付勢する付勢手段である。すなわち、アーム接続部と囲い枠２との相対位置を、突出位置から囲い枠２の内部に収納した収納位置へ変位させるように付勢する手段である。これは、可動アーム２が閉状態Ｓ２となるように付勢する付勢手段と同義である。
【００３６】
軸方向付勢手段１３は、囲い枠２に収納される筒状の弾性部材であり、実施例ではコイルばねを図示するが、他にいたバネ、圧縮反発部材製の筒体等、任意のものを使用することができる。軸方向付勢手段１３は、実施例１のように、可動アーム２が開状態Ｓ１となったときに囲い枠２を先端方向へ付勢するか、或いは他の態様として、可動アーム２が開状態Ｓ１となったときに可動アーム接続部２１をを基端方向へ付勢するかして、開状態Ｓ１から閉状態Ｓ２への移行を迅速に且つわずかなスイッチング動作によって強固に行うものである。
【００３７】
実施例では、一端を基端棒部分に連結され、他端を囲い枠２に連結されたコイルばねを、把持棒１内部に有する。第一の把持棒１を伸長軸Ｌ基端側へスライドさせることで、コイルばねが縮み、囲い枠２を伸長軸Ｌ先端方向へ弾性付勢する弾性力が加わる。その他、アーム接続部を伸長軸Ｌの基端方向へ（弾性）付勢する軸方向付勢手段１３を具備するものとしてもよい。
【００３８】
この開状態Ｓ１においては、一対の可動アーム２が左右に開き、一対の可動アーム２先端間に捕獲スペースを確保する。このとき、可動アーム２の基端側の可動アーム接続部２１付近にて、可動アーム２に設けられたアーム係合溝２２ａが、囲い枠２先端のアーム係合枠２２ｂと係合して、アーム係合部２２が係合した状態となる。また、内部アーム３の中間接続部３１が前方にスライドして、開状態Ｓ１の可動アーム２間を横断するように亘る。このアーム係合溝２２ａとアーム係合枠２２ｂとからなるアーム係合部２２、並びに内部アーム３の横断によって、可動アーム２は開状態Ｓ１のままロックされる。
【００３９】
（内部アーム３）
内部アーム３は、前記可動アーム２の内部にて、可動アーム接続部２１よりも伸長軸Ｌ方向先端側にある伸長軸Ｌ上の中間接続部３１で、互いに相対角度が可動しうるようにすなわち、伸長軸Ｌ先端方向の挟角が可変しうるように可動固定されて一対設けられる。また、それぞれの先端が、アーム間接続部３２によって、可動アーム２の各対に角度変化可能につなげられて、一対の可動アーム２それぞれを繋いで亘る。前記したように、可動アーム２が開状態Ｓ１のとき、中間接続部３１は伸長軸Ｌ上の前方にスライドする。この中間接続部３１が、閉状態Ｓ２へのスイッチング機構を果たし、内部アーム３へわずかに接触したときにこの中間接続部３１が基端側へスライドすると、軸方向付勢手段１３によって閉状態Ｓ２へ移行するような軸方向力が補助され、可動アーム２は短時間で開状態Ｓ１から閉状態Ｓ２へ移行する。
【００４０】
それぞれの内部アーム３は、同型状の左右一対の湾曲棒からなり、少なくとも一部が、可動アーム２の曲がり形状と同じ曲がり形状からなる。閉状態Ｓ２で、それぞれの可動アーム２とそれぞれの内部アーム３の前記同一の曲がり形状の部分同士が重なり合って、完全に重なり合う一の閉曲線を形成する。
【００４１】
実施例１では可動アーム２と完全に重なった真円を形成する。実施例２では可動アーム２とほぼ完全に重なった逆山型を形成する。実施例３では基端部のアーム接続部付近の可動アーム２部分を除いて長円部分で重なり、横長の長円を形成する。実施例４では伸長軸Ｌ先端付近のアーム間切僕部付近でのみ重なる。
【００４２】
（使用方法）
本発明の捕獲器は、例えば下記のように使用する。すなわち、先ず、図１、図３、図１０或いは実施例２の図１２、実施例３の図１４に示すように、接続部変位手段１２を操作して可動アーム２を開状態Ｓ１として捕獲可能な状態にセットする。そして、この開状態Ｓ１の一対の可動アーム２で捕獲対象を挟むようにして、内部アーム３を捕獲対象に押し当てることで、可動アーム２を自動的に作動させ、図１７に示すように、閉状態Ｓ２の可動アーム２及び内部アーム３によって、捕獲対象を拘束し或いは捕獲する。このとき、把持棒１によって操作者（捕獲器の使用者）と捕獲対象との間に一定の距離を保ち、操作者を安全圏内に位置させながら捕獲対象を捕獲することが出来る。また、張出部が内部アーム３の中間接続部３１付近にて捕獲者側に張り出す状態となる。このため、捕獲者の動きを安全に拘束することができるとともに、捕獲状態でアームが再度開かれることを防止することができる。
【００４３】
また、捕獲しないままで閉状態Ｓ２となったときは、第一の把持部１４を伸長軸Ｌ基端方向（手前）にスライドさせることで、容易に開状態Ｓ１に戻すことができる。
【産業上の利用可能性】
【００４４】
本発明の捕獲器は、主に人を安全に捕獲する防犯用の捕獲器として使用されるが、その他、各種動物の捕獲に用いられる。
【図面の簡単な説明】
【００４５】
【図１】実施例１の捕獲器の、可動アームを開状態とした状態の斜視図である。
【図２】実施例１の捕獲器の、可動アームを閉状態とした状態における斜視図である。
【図３】実施例１の捕獲器の、可動アームを開状態とした状態における正面図である。
【図４】実施例１の捕獲器の、可動アームを閉状態とした状態における正面図である。
【図５】実施例１の捕獲器の、可動アームを閉状態とした状態における一部断面背面図である。
【図６】実施例１の捕獲器の、可動アームを閉状態とした状態における右側面図である。
【図７】実施例１の捕獲器の、可動アームを閉状態とした状態における左側面図である。
【図８】実施例１の捕獲器の、可動アームを閉状態とした状態における平面図である。
【図９】実施例１の捕獲器の、可動アームを閉状態とした状態における一部断面底面図である。
【図１０】実施例１の捕獲器の、可動アームを開状態とした状態における先端部分の正面視一部断面拡大図である。
【図１１】実施例１の捕獲器の、可動アームを閉状態とした状態における先端部分の正面視一部断面拡大図である。
【図１２】実施例２の捕獲器の、可動アームを開状態とした状態における正面図である。
【図１３】実施例２の捕獲器の、可動アームを閉状態とした状態における正面図である。
【図１４】実施例３の捕獲器の、可動アームを開状態とした状態における正面図である。
【図１５】実施例３の捕獲器の、可動アームを閉状態とした状態における正面図である。
【図１６】実施例４の捕獲器の、可動アームを閉状態とした状態における正面図である。
【図１７】実施例３の捕獲器の使用状態例を示す説明図である。
【符号の説明】
【００４６】
１  把持棒
１１  囲い枠
１２  接続部変位手段
１３  軸方向付勢手段
１４  第一の把持部
１５  第二の把持部
１６  手掛かり部
２  可動アーム
２１  可動アーム接続部
２２  アーム係合部
２２ａ  アーム係合溝
２２ｂ  アーム係合枠
２３  保護カバー
３  内部アーム
３１  中間接続部
３２  アーム間接続部
３３  張出部
Ｌ  伸長軸
Ｓ１  開状態
Ｓ２  閉状態
【図１】
2007263413.tif 000003
【図２】
2007263413.tif 000004
【図３】
2007263413.tif 000005
【図４】
2007263413.tif 000006
【図５】
2007263413.tif 000007
【図６】
2007263413.tif 000008
【図７】
2007263413.tif 000009
【図８】
2007263413.tif 000010
【図９】
2007263413.tif 000011
【図１０】
2007263413.tif 000012
【図１１】
2007263413.tif 000013
【図１２】
2007263413.tif 000014
【図１３】
2007263413.tif 000015
【図１４】
2007263413.tif 000016
【図１５】
2007263413.tif 000017
【図１６】
2007263413.tif 000018
【図１７】
2007263413.tif 000019